(57)【要約】【課題】  土嚢を簡単容易に素早く数多く製造できる土嚢製造器具を提供する。【解決手段】  本発明に関する土嚢製造装置１は、土嚢製造装置１と筒体２からなり、筒体２の一方の開口５側から当該筒体２を土嚢袋Ｆの開口より土嚢袋Ｆ内にいれて、土嚢袋Ｆの開口１０側の一部を係止孔１４，１４，１４，１４を介して筒体２内に引き出して把持孔１５，１５，１５，１５の縁に引っ掛けておくことで土嚢袋Ｆを保持させ、当該筒体２を載置面Ｂに載せ、筒体２の他方の開口４より筒体２内の貯留空間Ｓに土Ｄを投入し、筒体２内に土Ｄを貯留させた後に土嚢製造装置１を上方に移動させて筒体２内に貯留されていた土Ｄを土嚢袋Ｆ内に移動させることを特徴とする。【選択図】      図５
2006125035.tif 000002
【特許請求の範囲】
【請求項１】
筒体と筒体の中心線に沿った方向の長さより深さの深い土嚢袋とを用い、筒体を筒体の一方の開口側から土嚢袋の開口より土嚢袋に挿入して、土嚢袋の開口側を筒体の外周囲に位置させるとともに、筒体の一方の開口を下に向けて当該筒体を載置面に載置し、上を向く筒体の他方の開口より筒体内に土を投入して筒体内に土を貯めた後に、筒体を土嚢袋内より取出して、土嚢袋の開口を閉じて土嚢を製造したことを特徴とする土嚢製造方法。
【請求項２】
筒体と筒体の中心線に沿った方向の長さより深さの深い土嚢袋とにより形成され、筒体が、土嚢袋の開口側を筒体の外周囲に保持するとともに、土嚢袋の底に近い側である筒体の一方の開口を下に向けて載置面に載置されることで、上に位置する筒体の他方の開口を入口とし載置面を底とした土の貯留空間を形成し、貯留空間に土を貯留した状態で土嚢袋と筒体とが一緒に上方に持ち上げられることで、筒体の下方の開口が、貯留空間に貯留された土を土嚢袋内に落下させる土落下口を形成することを特徴とする土嚢製造装置。
【請求項３】
中心線に沿った方向の長さが土嚢袋の深さより短い筒体により形成され、土嚢袋の開口側を外周囲に保持するとともに、土嚢袋の底に近い側である一方の開口を下に向けて載置面に載置されることで、上に位置する他方の開口を入口とし載置面を底とした土の貯留空間を形成するとともに、貯留空間に土を貯留した状態で土嚢袋と一緒に上方に持ち上げられることで、下に位置する一方の開口が、貯留空間に貯留された土を土嚢袋内に落下させる土落下口を形成することを特徴とする土嚢製造器具。
【請求項４】
筒体の外周面が他方の開口から一方の開口に向けて筒体の中心線の方向に傾斜する傾斜面に形成されたことを特徴とする請求項３に記載の土嚢製造器具。
【請求項５】
筒体の他方の開口側の周面には孔が形成され、孔は土嚢袋の上部開口側の一部を係止する係止孔として機能するとともに、人が指を引っ掛けることで筒体を上方に持ち上げやすくするための把持孔としたことを特徴とする請求項３または請求項４に記載の土嚢製造器具。
【発明の詳細な説明】
【技術分野】
【０００１】
本発明は、同様の土嚢を簡単容易に素早く数多く製造可能とする土嚢製造方法などに関するものである。
【背景技術】
【０００２】
従来、袋内に土及び砂等を充填し、袋開口部を閉じて作成される土嚢を、一人で製造できる土嚢製造用器具が知られている。この土嚢製造用器具は、足部材と脚部材と袋装着部材とを備えてなり、袋装着部材のリング部内に袋体（土嚢袋）を位置せしめ、袋体の開口部をリング部外方へ折り返し、紐体を紐掛部に掛止して袋体の装着を実施し、袋体の開口部から土を袋体内に投入し、所定量充填すると、袋体を取り外して開口部を閉塞して土嚢を作成する（例えば、特許文献１等）。
【特許文献１】実開平６−７６０１０号公報
【発明の開示】
【発明が解決しようとする課題】
【０００３】
土嚢はどこで発生するか予測のできない水害や土砂崩壊現場等の災害地で必要となるため、災害地現場で製造を必要とする場合が多い。よって、緊急を要するため、同様の土嚢を簡単容易に素早く数多く製造できることが望まれる。しかしながら、上述した従来の土嚢製造用器具では、袋体の開口部はリング部外方へ折り返されているだけなので、土の重さで袋体の開口部がリング部より外れてしまう。この場合、開口部をリング部に掛け直さなければならず、作業性が悪い。袋体内に投入した土の量をいちいち確認しなくてはならない。以上のように、従来の土嚢製造用器具では、同様の土嚢を簡単容易に素早く数多く製造できるという目的を到底達成できない。また、足部材と脚部材と袋装着部材とにより構成され、分解できるが、分解した状態では部品数が多くなり、部品の形状も嵩張る形状なので、運搬には人手や運搬車が必要となり、災害地での運搬作業に不向きであるため、この運搬性の悪さの観点から考えても、同様の土嚢を簡単容易に素早く数多く製造できるという目的を到底達成できない。
【課題を解決するための手段】
【０００４】
本発明の土嚢製造方法は、筒体と筒体の中心線に沿った方向の長さより深さの深い土嚢袋とを用い、筒体を筒体の一方の開口側から土嚢袋の開口より土嚢袋に挿入して、土嚢袋の開口側を筒体の外周囲に位置させるとともに、筒体の一方の開口を下に向けて当該筒体を載置面に載置し、上を向く筒体の他方の開口より筒体内に土を投入して筒体内に土を貯めた後に、筒体を土嚢袋内より取出して、土嚢袋の開口を閉じて土嚢を製造したことを特徴とする。
本発明の土嚢製造装置は、筒体と筒体の中心線に沿った方向の長さより深さの深い土嚢袋とにより形成され、筒体が、土嚢袋の開口側を筒体の外周囲に保持するとともに、土嚢袋の底に近い側である筒体の一方の開口を下に向けて載置面に載置されることで、上に位置する筒体の他方の開口を入口とし載置面を底とした土の貯留空間を形成し、貯留空間に土を貯留した状態で土嚢袋と筒体とが一緒に上方に持ち上げられることで、筒体の下方の開口が、貯留空間に貯留された土を土嚢袋内に落下させる土落下口を形成することを特徴とする。
本発明の土嚢製造器具は、中心線に沿った方向の長さが土嚢袋の深さより短い筒体により形成され、土嚢袋の開口側を外周囲に保持するとともに、土嚢袋の底に近い側である一方の開口を下に向けて載置面に載置されることで、上に位置する他方の開口を入口とし載置面を底とした土の貯留空間を形成するとともに、貯留空間に土を貯留した状態で土嚢袋と一緒に上方に持ち上げられることで、下に位置する一方の開口が、貯留空間に貯留された土を土嚢袋内に落下させる土落下口を形成することを特徴とする。筒体の外周面が他方の開口から一方の開口に向けて筒体の中心線の方向に傾斜する傾斜面に形成されたことや、筒体の他方の開口側の周面には孔が形成され、孔は土嚢袋の上部開口側の一部を係止する係止孔として機能するとともに、人が指を引っ掛けることで筒体を上方に持ち上げやすくするための把持孔としたことを特徴とする。
【発明の効果】
【０００５】
本発明の土嚢製造方法によれば、緊急を要する災害地においても、同様の土嚢を簡単容易に素早く数多く製造できる。また、本形態の土嚢製造装置、土嚢製造器具によれば、本形態の土嚢製造方法を実現できる。また、筒体の外周面が傾斜面に形成されているので、嵩張らずに複数の筒体をコンパクトに積層できるので、複数の筒体を運搬しやすくなり、災害地での緊急の土嚢製造に素早く対応できるようになる。筒体が孔を備えることで、土嚢袋の上部開口側の一部を係止する係止孔として機能するとともに、筒体を上方に持ち上げやすくなり、力作業を効率的に行うことができる。
【発明を実施するための最良の形態】
【０００６】
図１〜図７は本発明の最良の形態を示し、図１は土嚢製造装置を示す分解図、図３は筒体と土嚢袋とが係止した状態を示す断面図、図２〜図７は土嚢製造装置を用いた土嚢製造方法を示す手順説明図である。
【０００７】
図１において、土嚢製造装置１は、土嚢製造器具としての筒体２と、筒体２の中心線Ａに沿った方向の長さより深さの深い土嚢袋Ｆとにより構成される。筒体２は、外周面３が他方の開口４から一方の開口５に向けて筒体２の中心線Ａの方向に傾斜する傾斜面に形成されたものであり、バケツの底を取り除いたような形状である。この様な形状に形成された筒体２は、筒体２内に別の筒体２を挿入して筒体２を複数積層することができ、嵩張らずにコンパクトに積層できるので、複数の筒体２を運搬しやすくなる。筒体２の他方の開口４側の周面には、例えば周方向に９０度の間隔を隔てて４つの孔６，６，６，６が形成される。孔６，６，６，６は、係止孔１４，１４，１４，１４と把持孔１５，１５，１５，１５として機能する。すなわち、土嚢袋Ｆの上部開口１０側の一部を係止する係止孔１４，１４，１４，１４として機能するとともに、人が指８を引っ掛けることで筒体２を上方に持ち上げやすくするための把持孔１５，１５，１５，１５として機能する。把持孔１５，１５，１５，１５の大きさは、人Ｈの親指以外の４本の指８が十分に挿入可能な大きさに形成される。土嚢袋Ｆは、一方端に開口１０を備えるとともに、開口１０に沿って開口１０を開閉するための紐１２を通す紐通孔１１を備える。土嚢袋Ｆの開口１０周りの長さは、筒体２の他方の開口４側の外周面３周りの長さとほぼ同じ長さのものを用いる。筒体２としては、例えば、筒体２の中心線Ａに沿った方向の長さが土嚢袋Ｆの深さの２／３程度で、他方の開口４の外周面３周りの円の直径寸法が３０５ｍｍ、一方の開口５の外周面３周りの円の直径寸法が２３５ｍｍ、筒体２の中心線Ａに沿った方向の長さ（高さ）２７０ｍｍ、肉厚０．３５ｍｍのメッキ鉄板製で、孔６，６，６，６は横に長い長方形で横の長さが１００ｍｍ、縦の長さが３０ｍｍに形成されたものを使用する。
【０００８】
土嚢製造装置１を構成する土嚢製造器具としての筒体２は、土嚢袋Ｆの開口１０側を筒体２の外周囲に保持する機能と、土嚢袋Ｆの底１３に近い側である筒体２の一方の開口５を下に向けて載置面Ｂに載置された場合に、上に位置する筒体２の他方の開口４を入口とし載置面Ｂを底とした土Ｄの貯留空間Ｓを形成する機能と備え、貯留空間Ｓに土Ｄを貯留した状態で土嚢袋Ｆと筒体２とが一緒に上方に持ち上げられることで、筒体２の下方の開口が、貯留空間Ｓに貯留された土Ｄを土嚢袋Ｆ内に落下させる土落下口７を形成するものである。
【０００９】
土嚢製造装置１による土嚢製造方法を説明する。
図１の矢印で示すように、筒体２を筒体２の一方の開口５側から土嚢袋Ｆの開口１０より土嚢袋Ｆに挿入する。この場合、土嚢袋Ｆは、開口１０周りの長さが、筒体２の他方の開口４側の外周面３周りの長さとほぼ同じ長さのものを用いていることで、筒体２の土嚢袋Ｆ内への挿入作業が容易となる。また、土嚢袋Ｆの開口１０側が筒体２の係止孔１４，１４，１４，１４に保持される。この際、図２，図３に示すように土嚢袋Ｆの紐１２を軽く絞り込むことで、土嚢袋Ｆの開口１０側の一部が係止孔１４，１４，１４，１４を介して筒体２内に引き出され、係止孔１４，１４，１４，１４の縁に引っ掛かるので、土嚢袋Ｆの開口１０側が係止孔１４，１４，１４，１４に確実に保持される。この状態で、筒体２の一方の開口５を下に向けて当該筒体２を作業現場の地面等の載置面Ｂに載置することで、筒体２を自立させる。この際、筒体２の一方の開口５の縁を地面に押し込むようにすることで、筒体２の自立安定性が増す。そして、上を向く筒体２の他方の開口４より筒体２内にスコップＣなどで土Ｄを投入し、筒体２内にほぼ一杯になるまで土Ｄを入れる。この土Ｄ投入作業において、筒体２は自立安定性があり、また、筒体２内に貯まる土Ｄの量を上から目視できるので、土Ｄが筒体２内にほぼ一杯になるまで作業を簡単容易に素早くできる。また、土嚢袋Ｆの開口１０側は筒体２の外側に位置されて係止孔１４，１４，１４，１４に保持されるが、筒体２内に貯留した土Ｄがそのまま土嚢袋Ｆ内に収納される土Ｄとなるので、土Ｄの投入作業において土嚢袋Ｆがたとえ筒体２の外側においてずり下がっても土Ｄ投入作業に全く影響せず、筒体２内にほぼ一杯になるまでの量の土Ｄを筒体２内に機械的に投入すればよいので、土Ｄ投入作業の迅速化が図れる。図４，図５に示すように、筒体２内にほぼ一杯になるまで土Ｄを貯留した後に、人Ｈが把持孔１５，１５，１５，１５に対して筒体２の外側から内側に指８を突っ込んで、指８を土嚢袋Ｆの開口１０側の一部とともに把持孔１５，１５，１５，１５に引っ掛けたまま、土嚢袋Ｆと筒体２とを一緒に上方に持ち上げることで筒体２内の土Ｄを筒体２の一方の開口５から土嚢袋Ｆ内に落下させる。この場合、筒体２に設けられた把持孔１５，１５，１５，１５により、筒体２と土嚢袋Ｆとを共に上方に持ち上げやすくなり、力作業を効率的に行うことができる。この場合、土嚢袋Ｆの開口１０側の一部が筒体２の係止孔１４，１４，１４，１４に引っ掛けられているので、筒体２と土嚢袋Ｆとを共に上方に持ち上げる作業をスムーズに行える。土Ｄの投入作業において土嚢袋Ｆが筒体２の外側においてずり下がってしまっていれば、土嚢袋Ｆの開口１０側を筒体２の他方の開口４の高さまで持ち上げ、紐１２を軽く絞り込むことで、筒体２の係止孔１４，１４，１４，１４に引っ掛け直す持ち上げ作業を行えばよい。そして、図６，図７に示すように筒体２を土嚢袋Ｆ内より取出すと、土嚢袋Ｆの容積の２／３程度の土Ｄが土嚢袋Ｆの底１３側から上部方向に収納された状態となる。すなわち、筒体２の中心線Ａに沿った方向の長さが土嚢袋Ｆの深さの２／３程度のものを用い、筒体２と土嚢袋Ｆとを共に上方に持ち上げれば、筒体２内にほぼ一杯に貯留された土Ｄが筒体２の下方の開口である土落下口７を介して土嚢袋Ｆの底１３側に自然落下し、土嚢袋Ｆの上部に十分な閉じ代９を残した状態に設定される。最後に、土嚢袋Ｆの開口１０を紐１２で閉じることで、土嚢Ｅが完成する。よって、土嚢製造作業を１人で効率的に簡単に製造できる。本形態によれば、土収納量がほぼ同一で同様の土嚢Ｅを簡単容易に素早く数多く製造でき、特に、緊急を要する災害地での土嚢製造作業に適した土嚢製造方法及びその製造装置等を得ることができる。
【００１０】
筒体２は、外周面３が他方の開口４から一方の開口５に向けて中心線Ａの方向とは逆方向に傾斜する形状に形成されたものでもよいし、外周面３が他方の開口４から一方の開口５に向けて中心線Ａと平行な形状に形成されたものでも良い。筒体２の材質はプラスチック，アルミニウム等でもよい。筒体２の他方の開口４側の周面に形成する孔６，６，６，６の形状、個数は特に限定されず、例えば周方向に１８０度の間隔を隔てて２つ設け、人Ｈの親指以外の４本の指８が十分に挿入可能な大きさに形成されていれば良い。筒体２は孔６，６，６，６を備えないものでもよく、この場合、ベルトなどで土嚢袋Ｆの開口１０側の周囲を筒体２の外周に拘束しておいたり、土嚢袋Ｆの開口１０縁を筒体２の他方の開口４縁とをクリップなどで固定具で止めるようにしても良い。
【産業上の利用可能性】
【００１１】
上記例では土嚢袋の深さより中心線に沿った方向の長さの短い筒体を用いたが、中心線に沿った方向の長さが土嚢袋の深さとほぼ同程度の筒体を用いても良い。この場合、土を筒体内に半分から２/３程度投入して筒体を土嚢袋Ｆから取出して土嚢袋の開口を紐で閉じればよい。
又上記例では、筒体内にほぼ一杯になるまで土を貯留した後に、人が把持孔に対して筒体の外側から内側に指を突っ込んで、指を土嚢袋Ｆの一部とともに把持孔に引っ掛けたまま、土嚢袋と筒体とを一緒に上方に持ち上げることで筒体内の土を筒体の一方の開口から土嚢袋内に落下させるようにしたが、筒体内にほぼ一杯に土を貯留した後に、筒体のみを持ち上げて土を一方の開口から土嚢袋内に落下させてもよい。尚、筒体内に貯留する土量をほぼ一杯とせずに、適度な土量を筒体に貯留した後に、筒体のみを持ち上げて土を一方の開口から土嚢袋内に落下させ、その後、土嚢袋内に落下した土の上面に筒体を置き、更に適度な土量を筒体内に土を貯留するように、土を土嚢袋内に徐々に貯留させてもよい。
【図面の簡単な説明】
【００１２】
【図１】本発明の最良の形態による土嚢製造器具の簡略構成図である。
【図２】本発明の最良の形態による土嚢製造器具の使用方法を示す斜視図である。
【図３】本発明の最良の形態による筒体と土嚢袋とが係止した状態を示す断面図である。
【図４】本発明の最良の形態による土嚢製造器具の使用方法を示す斜視図である。
【図５】本発明の最良の形態による土嚢製造器具の使用方法を示す斜視図である。
【図６】本発明の最良の形態による土嚢製造器具の使用方法を示す斜視図である。
【図７】本発明の最良の形態による土嚢製造器具の使用方法を示す図である。
【符号の説明】
【００１３】
１  土嚢製造装置，２  筒体，３  外周面，４  他方の開口，５  一方の開口，
６  孔，７  土落下口，８  指，９  閉じ代，１０  土嚢袋の開口，
１１  紐通孔，１２  紐，１３  底，１４  係止孔，１５  把持孔，
Ａ  中心線，Ｂ  載置面，Ｃ  スコップ，Ｄ  土，Ｅ  土嚢，
Ｆ  土嚢袋，Ｓ  貯留空間，Ｈ  人
【図１】
2006125035.tif 000003
【図２】
2006125035.tif 000004
【図３】
2006125035.tif 000005
【図４】
2006125035.tif 000006
【図５】
2006125035.tif 000007
【図６】
2006125035.tif 000008
【図７】
2006125035.tif 000009